(57)【要約】  個人用ケア器具の一部に装着可能なラミネート状ＲＦＩＤタグは、水または他の溶剤の吸収を防止するように適合された、丸みを帯びた隅部または丸みを帯びた周辺縁部を有する。【選択図】図３
2016539396.tif 000002
【特許請求の範囲】
【請求項１】
個人用ケア器具のためのＲＦＩＤタグであって、
個人用ケア器具の一部に装着可能なラミネート状ＲＦＩＤタグを含み、前記ＲＦＩＤタグが、その縁に沿った水または他の溶剤の吸収を防止するように適合された、丸みを帯びた隅部または丸みを帯びた周辺縁部を有する、ＲＦＩＤタグ。
【請求項２】
前記丸みを帯びた隅部が、前記ＲＦＩＤタグの前記隅部での剥離を低減するように構成された、請求項１に記載のＲＦＩＤタグ。
【請求項３】
前記丸みを帯びた隅部が、約２ｍｍの半径を有する、請求項１に記載のＲＦＩＤタグ。
【請求項４】
前記ＲＦＩＤタグが、前記ＲＦＩＤタグの前記丸みを帯びた縁部形状に沿った、ほぼ円状のアンテナを有する、請求項１に記載のＲＦＩＤタグ。
【発明の詳細な説明】
【技術分野】
【０００１】
[0001]本発明は、概して、ＲＦＩＤ（無線周波数識別）タグに関し、より詳細には、顔（肌）洗浄器具におけるものなど、厳しい環境条件において使用されるように設計されたタグに関する。
【背景技術】
【０００２】
[0002]ＲＦＩＤタグは、通常ラミネート状であり、典型的には、厚さが約０．０１７８ｍｍ（０．０００７インチ）であり、典型的には、尖った隅部を備える正方形形状または長方形形状を有する。従来のラミネート状ＲＦＩＤタグの一例が、図１において１０で示される。ラミネート状ＲＦＩＤタグは、作動部材（ｗｏｒｋｐｉｅｃｅｓ）の無線識別を含む、様々な応用分野で使用される。かかるＲＦＩＤタグは、腐食性の、または湿気のある場所で使用される場合、それらが装着された表面からの分離、および／または、ＲＦＩＤタグ内の層の分離により、機能不全に陥りやすい。分離、すなわち剥離は、多くの場合、タグのある程度の初期の剥離後に加速する。したがって、図１に示される直角の隅部を有するＲＦＩＤタグは、タグの隅部を起点として接着結合不良が起こりやすいので、例えば顔洗浄用の個人用器具におけるものなど、厳しい条件における使用には、通常適さない、または、推奨されない。
【０００３】
[0003]平円盤タグ（ｐｕｃｋ  ｔａｇ）として知られる、丸みを帯びた、成形されたプラスチック製の包封タグが、図２において１４で表される。平円盤タグは、典型的には、約２．５４ｍｍ（０．１０インチ）の厚さを有し、時として、厳しい環境条件における使用に推奨される。平円盤タグは、確かにある環境条件では、従来のラミネート状ＲＦＩＤタグより有利な点もあるが、平円盤タグは、それ自体の不利な点を有し、それはすなわち、重量、寸法、および費用である。したがって、丸みを帯びた平円盤タグでさえも、重量の増加が共振の変化につながる、共振型肌洗浄ブラシを含むある種の応用分野では推奨されない。
【発明の概要】
【発明が解決しようとする課題】
【０００４】
[0004]したがって、厳しい環境条件でも耐え、良好に動作するように設計されたＲＦＩＤタグが望まれる。
【課題を解決するための手段】
【０００５】
[0005]したがって、個人用ケア器具のためのＲＦＩＤタグは、個人用ケア器具の一部に装着可能なラミネート状ＲＦＩＤタグを含み、このＲＦＩＤタグが、その縁に沿った水または他の溶剤の吸収を防止するように適合された、丸みを帯びた隅部または丸みを帯びた周辺縁部を有する。
【図面の簡単な説明】
【０００６】
【図１】[0006]尖った隅部を備える従来のラミネート状タグの斜視図である。
【図２】[0007]平円盤タグとしても知られる、従来の成形されたプラスチック製の包封タグの斜視図である。
【図３】[0008]丸みを帯びたラミネート状ＲＦＩＤタグの斜視図である。
【図４】[0009]丸みを帯びた隅部を備えるラミネート状ＲＦＩＤタグの斜視図である。
【図５】[00010]直角の隅部を備えるタグの左右の縁部からの距離の関数として、水の取り込みを１平方センチメートル当たりのグラム数で表した図である。
【図６】[00011]内部の構成部品の場所を示す、丸みを帯びたＲＦＩＤタグの斜視図である。
【発明を実施するための形態】
【０００７】
[00012]本発明は、厳しい環境条件において良好に動作するように設計されたＲＦＩＤタグ用の新規な縁部形状を包含する。従来のラミネート状ＲＦＩＤタグは、高い溶剤暴露を引き起こし、すすぎと乾燥の操作の繰り返しと共に振動が存在する条件などの、厳しい条件におけるタグと装着面との間の接着結合の不良、およびラミネート構造そのものの不良によって剥離される場合が多いということが、本発明者によって見出された。従来のＲＦＩＤタグでは、タグの尖った隅部は、溶剤をより吸収しやすく、したがって、初期の分離または剥離がより起こりやすいので、タグの既存の尖った隅部（図１の１２）で剥離が始まり、ラミネート構造、および／またはタグ全体の接着結合の、より全体的な不良に至ることが多いということが、さらに見出された。図５は、典型的な隅部の尖ったラミネート状ＲＦＩＤタグの隅部の左上部分（１ｃｍ×１ｃｍ）を示す。タグ自体は１６で表され、左上隅部は１８で表される。図５では、左側および上側に沿った数字は、それぞれ、隅部からの垂直方向の距離および水平方向の距離を、０．１ｃｍずつ増加して示す。各区画に与えられた値は、ラミネート状の構造が暴露され得る溶剤の取り込みを表す。この特定の例では水が用いられるが、洗浄剤、アルコール、または油などの他の溶剤が、タグが暴露され得る溶剤の例である。特定の値は、温度、暴露時間、およびラミネート厚などのいくつかの変数により変化し得るが、とりわけ、隅部が起こり得る剥離に関してタグの最も応力の集中する部分であることを、個々の定量線（ｑｕａｎｔ  ｌｉｎｅｓ）２０、２１、２２、および２３が示すということを示す。
【０００８】
[00013]本発明では、図３において２６で示されるラミネート状ＲＦＩＤタグは、丸みを帯びた縁部形状を有する。縁部２８を備えるＲＦＩＤタグ２６の直径は、応用分野に応じ様々であり得る。さらに、アクリル系接着剤などの従来の接着剤が、例えば、肌洗浄器具の交換可能なブラシ頭部などの基材表面にＲＦＩＤタグを取り付け／装着するのに使用される。
【０００９】
[00014]図４は、図３の丸みを帯びたラミネート状タグの代替案を示す。図４では、ＲＦＩＤタグ２９は、丸みを帯びた隅部を有する。この実施形態では、丸みを帯びた隅部３０は、３２で表される２ｍｍの半径を有する。他の半径寸法が使用されてもよいが、従来のラミネート状ＲＦＩＤタグの尖った隅部をなくするために、全ての隅部が丸みを帯びているべきである。図６は、タグの要素、すなわち、アンテナ４２およびＲＦＩＤタグチップ４４を配置する、高耐性を有する丸みを帯びたＲＦＩＤタグ４０を例示する。
【００１０】
[00015]様々なＲＦＩＤタグの試験において、図３の丸みを帯びたＲＦＩＤタグが、厳しい条件において良好に耐え、図４の丸みを帯びた隅部を備えるＲＦＩＤタグもまた、丸みを帯びたタグほどではないが、良好に耐えることが判明した。縁部形状が、完全な円形形状に近いほど、タグの性能は良くなる。図１に示されるような隅部の尖ったラミネート状タグは、試験に不合格であった。
【００１１】
[00016]丸みを帯びたタグ、または丸みを帯びた隅部を備えるタグは、特定の例では、より高い製造費用がかかる場合があるが、それでもなお、寿命が長く、厳しい条件において耐える能力があるので、このタグは有利である。
【００１２】
[00017]例示の目的で、本発明の好ましい実施形態が開示されたが、様々な変化、修正、および代替が、後続の特許請求の範囲により規定される本発明の趣旨から逸脱することなく実施形態に組み込まれ得ることを理解すべきである。
【図１】
2016539396.tif 000003
【図２】
2016539396.tif 000004
【図３】
2016539396.tif 000005
【図４】
2016539396.tif 000006
【図５】
2016539396.tif 000007
【図６】
2016539396.tif 000008
【国際調査報告】
2016539396.tif 000009
2016539396.tif 000010